(57)【要約】【課題】居住者の安否を迅速に確認することができる建物及び安否確認システムを実現する。【解決手段】安否確認システム１００において、住宅５０に設置された圧力センサー１１が、転倒した居住者が床面に衝突したことに相当する圧力を検知した場合と、床面上の居住者の身体重心が動かない圧力（床面上の居住者の身体重心が極僅かに動く圧力）を検知した場合に、情報管理装置１０が直ちに居住者の安否確認を促す通知を発信し、その通知を端末装置３０で受信して確認することができるので、端末装置３０を携帯しているユーザーは住宅５０に居合わせなくても救急通報するなど対応することができ、居住者の安否確認を迅速に行うことができる。【選択図】図１
2015026146.tif 000002
【特許請求の範囲】
【請求項１】
居住者が生活する住空間に設置された複数のセンサーと、
予め設定されている異常状態を前記センサーが検知した際に、前記居住者の安否確認を促す通知を発信する発信手段と、を備えた建物であって、
前記センサーは、前記住空間における所定の床面に設置された圧力センサーを含み、
前記発信手段は、前記圧力センサーが、前記居住者が前記床面に衝突した圧力、または前記床面上の前記居住者の身体重心が動かない圧力を検知した場合に前記通知を発信することを特徴とする建物。
【請求項２】
請求項１に記載の建物において、
前記センサーは、前記住空間に出入する際に開く扉の近傍に設置された人感センサーを含み、
前記発信手段は、前記人感センサーが、所定の時間帯に前記居住者の出入りを検知した場合に前記通知を発信することを特徴とする建物。
【請求項３】
請求項２に記載の建物において、
前記扉の前記住空間側の取手部に接触センサーが設けられていることを特徴とする建物。
【請求項４】
請求項１〜３の何れか一項に記載の建物において、
前記圧力センサーは、水周りの床面と段差近傍の床面の少なくとも一方に設置されていることを特徴とする建物。
【請求項５】
請求項１〜４の何れか一項に記載の建物と、
前記発信手段によって発信された通知を受信する端末装置と、
を備えていることを特徴とする安否確認システム。
【請求項６】
請求項５に記載の安否確認システムにおいて、
前記住空間は複数の居室を有し、前記複数の居室の出入口にはそれぞれ前記居住者の通過を検知する通過センサーが設置されており、
前記通過センサーが前記居住者を検知した履歴を記録するホスト装置を備えたことを特徴とする安否確認システム。
【請求項７】
請求項６に記載の安否確認システムにおいて、
前記住空間における生活動線上に、前記居住者が触れたことを検知する接触センサーが設置されており、
前記ホスト装置は、前記接触センサーが前記居住者を検知した履歴を記録することを特徴とする安否確認システム
【発明の詳細な説明】
【技術分野】
【０００１】
本発明は、建物及び安否確認システムに係り、特に居住者の異常行動を速やかに検知するのに適した技術に関する。
【背景技術】
【０００２】
従来、独居者の安全確保や孤独死防止の観点から、独居者の安否確認システムが開発されている。
例えば、特許文献１には、居住者が通常の生活で使用する機器や設備の使用状況を検出し、その検出した使用状況が居住者の行動パターンと異なる場合（例えば、テレビや照明装置などが操作されない状況が続く場合）に、外部にアラート情報を出力する技術が開示されている。
【先行技術文献】
【特許文献】
【０００３】
【特許文献１】特開２００４−１３３７７７号公報
【発明の概要】
【発明が解決しようとする課題】
【０００４】
しかしながら、上記特許文献１の場合、機器や設備の使用状況が居住者の行動パターンと異なると判定するまでには少なくとも数時間を要するため、居住者の安否確認に時間がかかってしまうことがあった。
【０００５】
本発明の目的は、居住者の安否を迅速に確認することができる建物及び安否確認システムを提供することである。
【課題を解決するための手段】
【０００６】
以上の課題を解決するため、請求項１に記載の発明は、例えば図１〜図２に示すように、
居住者が生活する住空間に設置された複数のセンサー（例えば、圧力センサー１１、人感センサー１２）と、
予め設定されている異常状態を前記センサーが検知した際に、前記居住者の安否確認を促す通知を発信する発信手段（情報管理装置１０）と、を備えた建物５０であって、
前記センサーは、前記住空間における所定の床面に設置された圧力センサー１１を含み、
前記発信手段（情報管理装置１０）は、前記圧力センサー１１が、前記居住者が前記床面に衝突した圧力、または前記床面上の前記居住者の身体重心が動かない圧力を検知した場合に前記通知を発信することを特徴とする。
【０００７】
請求項１に記載の発明によれば、住宅５０に設置された圧力センサー１１が、転倒した居住者が床面に衝突したことに相当する圧力を検知した場合と、床面上の居住者の身体重心が動かない圧力（床面上の居住者の身体重心が僅かにしか動かない圧力）を検知した場合には、直ちに居住者の安否確認を促す通知が発信されるので、その通知を確認したユーザーは、すぐさま何らかの対応を取ることができ、居住者の安否確認を迅速に行うことができる。
つまり、住宅５０で居住者が転倒して大怪我をした可能性があるときや、住宅５０で居住者が体調を崩すなどして身動きが取れない状態となったときに、直ちに居住者の安否確認を促す通知が発信されるので、その通知を確認したユーザーは救急通報するなど対応することができる。
【０００８】
請求項２に記載の発明は、例えば図１〜図２に示すように、
請求項１に記載の建物５０において、
前記センサーは、前記住空間に出入する際に開く扉（例えば、玄関扉５１６、勝手口の扉５１７））の近傍に設置された人感センサー１２を含み、
前記発信手段（情報管理装置１０）は、前記人感センサー１２が、所定の時間帯に前記居住者の出入りを検知した場合に前記通知を発信することを特徴とする。
【０００９】
請求項２に記載の発明によれば、住宅５０に設置された人感センサー１２が所定の時間帯（例えば、深夜の時間帯）に居住者の出入りを検知した場合には、直ちに居住者の安否確認を促す通知を発信するので、その通知を確認したユーザーは、すぐさま何らかの対応を取ることができ、居住者の安否確認を迅速に行うことができる。
つまり、住宅５０から居住者が深夜などに外出して徘徊する可能性があるときに、直ちに居住者の安否確認を促す通知が発信されるので、その通知を確認したユーザーは関係各所に居住者の保護要請を通報するなど対応することができる。
【００１０】
請求項３に記載の発明は、例えば図１〜図２に示すように、
請求項２に記載の建物５０において、
前記扉の前記住空間側の取手部１３０に接触センサー１３が設けられていることを特徴とする。
【００１１】
請求項３に記載の発明によれば、扉の近傍に設置された人感センサー１２が所定の時間帯に居住者を検知した際に、居住者が扉の住空間側の取手部１３０を触ったことを接触センサー１３が検知していれば、居住者が扉に近付いただけではなく、居住者が扉を開けようとしていることがわかる。
そこで、所定の時間帯に人感センサー１２と取手部１３０の接触センサー１３がともに居住者を検知した場合に、例えば、居住者が住宅５０から外に出て徘徊する可能性が高いものとして、居住者の安否確認を促す通知を発信するようにすれば、その通知の精度が上がる。
【００１２】
請求項４に記載の発明は、例えば図１〜図２に示すように、
請求項１〜３の何れか一項に記載の建物５０において、
前記圧力センサーは、水周り（例えば、浴室５１３、洗面室（脱衣室）５１４、トイレ５１５、トイレ５２１）の床面と段差近傍（例えば、上框５１１、玄関ホール５１２）の床面の少なくとも一方に設置されていることを特徴とする。
【００１３】
請求項４に記載の発明によれば、住宅５０内でも特に居住者が転倒しやすいとされる水周りの床面や段差近傍の床面に圧力センサー１１が設置されているので、居住者が転倒したトラブルや、居住者が身動き取れなくなったトラブルを見逃さずに検知し、通知を発信することができる。
【００１４】
請求項５に記載の発明は、安否確認システム１００であって、例えば図１〜図２に示すように、
請求項１〜４の何れか一項に記載の建物５０と、
前記発信手段（情報管理装置１０）によって発信された通知を受信する端末装置３０と、
を備えていることを特徴とする。
【００１５】
請求項５に記載の発明によれば、住宅５０に設置された圧力センサー１１が、転倒した居住者が床面に衝突したことに相当する圧力を検知した場合と、床面上の居住者の身体重心が動かない圧力（床面上の居住者の身体重心が極僅かに動く圧力）を検知した場合には、情報管理装置１０が直ちに居住者の安否確認を促す通知を発信するので、その通知を端末装置３０で受信して確認したユーザーは、すぐさま何らかの対応を取ることができ、居住者の安否確認を迅速に行うことができる。つまり、住宅５０で居住者が転倒して大怪我をした可能性があるときや、住宅５０で居住者が体調を崩すなどして身動きが取れない状態となったときに、直ちに居住者の安否確認を促す通知が発信されるので、その通知を受信する端末装置３０を携帯しているユーザーは住宅５０に居合わせなくても救急通報するなど対応することができる。
また、住宅５０に設置された人感センサー１２が所定の時間帯に居住者の出入りを検知した場合には、情報管理装置１０が直ちに居住者の安否確認を促す通知を発信するので、その通知を端末装置３０で受信して確認したユーザーは、すぐさま何らかの対応を取ることができ、居住者の安否確認を迅速に行うことができる。つまり、住宅５０から居住者が外出して徘徊する可能性があるときに、直ちに居住者の安否確認を促す通知が発信されるので、その通知を受信する端末装置３０を携帯しているユーザーは住宅５０に居合わせなくても、関係各所に居住者の保護要請を通報するなど対応することができる。
【００１６】
請求項６に記載の発明は、例えば図１〜図２に示すように、
請求項５に記載の安否確認システム１００において、
前記住空間は複数の居室を有し、前記複数の居室の出入口（例えば、出入口５１８，５２２，５２３，５３３）にはそれぞれ前記居住者の通過を検知する通過センサー１４が設置されており、
前記通過センサーが前記居住者を検知した履歴を記憶するホスト装置２０を備えたことを特徴とする。
【００１７】
請求項６に記載の発明によれば、住宅５０に設置された通過センサー１４が住宅内を移動する居住者を検知した通過履歴をホスト装置２０に記録しているので、例えばユーザーが端末装置３０を操作することで、その通過履歴を確認することができ、居住者が住宅５０内を移動した回数が極端に少ないことや、移動回数が急激に減っていることを確認したユーザーは、すぐさま何らかの対応を取ることができ、居住者の安否確認を迅速に行うことができる。つまり、居住者が体調不良などを起こして寝込んでいることなどが予想される場合、住宅５０に電話して居住者が応答可能な状態であるか確認したり、救急通報したりするなど対応することができる。
【００１８】
請求項７に記載の発明は、例えば図１〜図２に示すように、
請求項６に記載の安否確認システム１００において、
前記住空間における生活動線上に、前記居住者が触れたことを検知する接触センサー１３が設置されており、
前記ホスト装置２０は、前記接触センサー１３が前記居住者を検知した履歴を記録することを特徴とする。
【００１９】
請求項７に記載の発明によれば、住宅５０に設置された接触センサー１３が住宅内の生活動線を移動する居住者を検知した通過履歴をホスト装置２０に記録しているので、例えばユーザーが端末装置３０を操作することで、その通過履歴を確認することができ、居住者が住宅５０内を移動した回数が極端に少ないことや、移動回数が急激に減っていることを確認したユーザーは、すぐさま何らかの対応を取ることができ、居住者の安否確認を迅速に行うことができる。つまり、居住者が体調不良などを起こして寝込んでいることなどが予想される場合、住宅５０に電話して居住者が応答可能な状態であるか確認したり、救急通報したりするなど対応することができる。
【発明の効果】
【００２０】
本発明によれば、居住者の安否を迅速に確認することができる。
【図面の簡単な説明】
【００２１】
【図１】安否確認システムを示すブロック図である。
【図２】住宅の間取りの一例を示す説明図であり、一階住宅部（ａ）と、二階住宅部（ｂ）である。
【発明を実施するための形態】
【００２２】
以下、図面を参照して、本発明に係る建物及び安否確認システムの実施形態について詳細に説明する。但し、以下に述べる実施形態には、本発明を実施するために技術的に好ましい種々の限定が付されているが、本発明の範囲を以下の実施形態及び図示例に限定するものではない。
【００２３】
図１は、安否確認システム１００のブロック図である。
安否確認システム１００は、住宅５０の居住者の異常行動を速やかに検知し、居住者の安否を迅速に確認することを可能にするシステムである。
なお、住宅５０は、一戸建ての住宅であっても、集合住宅の一戸であってもよい。
【００２４】
［住宅およびセンサー］
まず、住宅５０について説明する。
本実施形態における住宅５０は、例えば図２（ａ）（ｂ）に示すように、２階建て住宅であり、一階住居部５１と二階住居部５２に住空間として複数の部屋（居室、浴室、トイレなど）を有している。
この住宅５０は、居住者が生活する住空間に設置された複数のセンサー（１１，１２，１３，１４）と、各センサーの検知信号が出力される情報管理装置１０（図１参照）等を備えている。
【００２５】
住空間における段差近傍の床面には圧力センサーが設置されており、例えば、一階住居部５１における玄関の上框５１１の床面と、階段手前の玄関ホール５１２の床面には、それぞれ圧力センサー１１が設置されている。
また、住空間における水周りの床面にも圧力センサーが設置されており、例えば、一階住居部５１における浴室５１３、洗面室（脱衣室）５１４、トイレ５１５の床面と、二階住居部５２におけるトイレ５２１の床面には、それぞれ圧力センサー１１が設置されている。
圧力センサー１１は、床面に作用した圧力、具体的には床面にかかる居住者の体重などによる圧力を検知するセンサーであり、例えば、０．２〜１ｍ２の検知範囲を有している。この圧力センサー１１が検知した検知信号は、後述する情報管理装置１０に出力される。なお、圧力センサー１１は、検知範囲中のどこの位置に居住者の身体重心があるか検知することができ、床面上に留まっている居住者の重心移動を追尾することが可能になっている。
【００２６】
また、住宅５０（住空間）に出入する際に開く扉の近傍には人感センサーが設置されており、例えば、一階住居部５１における玄関扉５１６の近傍である土間５１６ａと、勝手口の扉５１７の近傍には、人感センサー１２が設置されている。また例えば、玄関扉５１６の住空間側の取手部１３０と、勝手口の扉５１７の住空間側の取手部１３０には、接触センサー１３が設置されている。
人感センサー１２は、例えば、赤外線センサーであって、熱（赤外線）を発生する物体（ここでは居住者）が感知エリアに入ったことを検知するセンサーである。この人感センサー１２が検知した検知信号は、後述する情報管理装置１０に出力される。
接触センサー１３は、所謂タッチセンサーであり、ここでは居住者が取手部１３０に触れたことを検知するようになっている。この接触センサー１３が検知した検知信号は、後述する情報管理装置１０に出力される。
【００２７】
また、住宅５０（住空間）における複数の居室の出入口にはそれぞれ居住者の通過を検知する通過センサーが設置されており、例えば、一階住居部５１の居室（リビング）の出入口５１８と、二階住居部５２の居室の各出入口５２２，５２３，５３３には、それぞれ通過センサー１４が設置されている。
通過センサー１４は、例えば、光電センサーであり、投光部から受光部へ向けて発射された光の遮断や反射を検知するセンサーである。この通過センサー１４が検知した検知信号は、後述する情報管理装置１０に出力される。
【００２８】
また、住宅５０（住空間）における生活動線上に、居住者が触れたことを検知する接触センサー１３が設置されており、例えば、居室のドアノブや、廊下や階段の手摺りなどには、それぞれ接触センサー１３が設置されている。
接触センサー１３は、所謂タッチセンサーである。この接触センサー１３が検知した検知信号は、後述する情報管理装置１０に出力される。
【００２９】
［安否確認システムの構成］
次に、安否確認システム１００の構成について説明するとともに、安否確認システム１００を用いた監視方法（安否確認方法）について説明する。
【００３０】
安否確認システム１００は、例えば図１に示すように、住宅５０と、ホスト装置２０と、端末装置３０等を備えている。
住宅５０は、前述した複数のセンサー（１１，１２，１３，１４）と、それらセンサーから出力された検知信号が入力される情報管理装置１０を備えている。
ホスト装置２０は住宅５０から離れた場所、例えば、サービス提供業者の所在地、住宅メーカーの所在地等に設置されている。
端末装置３０は、ユーザーが携帯して持ち運び可能なサイズであって、任意の場所で使用できる装置である。
情報管理装置１０とホスト装置２０は、電気通信回線（例えば、インターネット、専用回線、電話回線等）を介して互いに通信可能である。ホスト装置２０と端末装置３０は、電気通信回線（例えば、インターネット、専用回線、電話回線等）を介して互いに通信可能である。
【００３１】
［情報管理装置］
情報管理装置１０は、例えば、制御部（ＣＰＵ）１、記憶部２、表示部３、操作部４、通信ユニット、入出力インターフェース等を有する小型コンピューターである。記憶部２は、例えばＲＡＭ、ＲＯＭ、不揮発性メモリ、ハードディスクドライブである。表示部３は、例えば液晶ディスプレイ又はＥＬディスプレイである。操作部４は、例えばスイッチ、押しボタン、タッチパネルである。
情報管理装置１０に内蔵された記憶部２には、ＣＰＵにより実行される各種制御プログラム及びデータ等が格納されており、情報管理装置１０（制御部１）がそのプログラムに従って各種の処理を実行する。
【００３２】
特に、情報管理装置１０の記憶部２には、監視対象（安否確認の対象）となる居住者の身長や体重など体格に関するデータや、監視対象となる居住者が住宅５０から外出しないとされる時間帯に関するデータが格納されている。これらデータに基づいて居住者の異常行動の判断基準が設定され、その異常状態の判断基準が記憶部２に格納されるようになっている。
そして、情報管理装置１０は、住宅５０に設置されている複数のセンサー（１１，１２，１３，１４）が予め設定されている異常状態を検知した際、ホスト装置２０へ居住者の安否確認を促す通知を発信する発信手段として機能する。
【００３３】
例えば、居住者の体格に関するデータに基づき、転倒した居住者が床面に衝突した場合にその床面に作用する圧力に相当する値が、所定の計算式などによって求められて設定されている。なお、転倒した居住者の姿勢は様々であるので、ここで設定される圧力の値は、ある程度の幅を持った値になっている。
そして、居住者が床面に衝突したことに相当する圧力が床面に作用することが、居住者の異常行動に伴う異常状態として設定されており、圧力センサー１１がその異常状態を検知した際、情報管理装置１０は居住者の安否確認を促す通知を発信する発信手段として機能する。
【００３４】
また、居住者の体格に関するデータに基づき、居住者が床面上に静かに存在する場合にその床面に作用する圧力に相当する値が、所定の計算式などによって求められて設定されている。なお、床面上での居住者の姿勢は様々であるので、ここで設定される圧力の値は、ある程度の幅を持った値になっている。
そして、居住者が床面上に留まっていることに相当する圧力であって、その居住者の身体重心が動かない圧力が床面に作用することが、居住者の異常行動に伴う異常状態として設定されており、圧力センサー１１がその異常状態を検知した際、情報管理装置１０は居住者の安否確認を促す通知を発信する発信手段として機能する。つまり、居住者の身体重心が動かない圧力が所定時間継続して床面に作用することが、居住者の異常行動に伴う異常状態として設定されており、圧力センサー１１がその圧力を所定時間（例えば、３分〜１０分）継続して検知した際、情報管理装置１０は居住者の安否確認を促す通知を発信する。
なお、ここでいう居住者の身体重心が動かない圧力には、居住者の身体重心が極僅かに動く圧力（居住者の身体重心がほとんど動かない圧力）も含むこととする。例えば、居住者がその意に反して床面上に留まらなければならない場合（例えば、居住者が気を失っている場合や、骨折などによって移動できない場合など、身動きが取れない場合）、僅かに居住者が動くこともあるので、居住者の身体重心が極僅かにしか動かない圧力が床面に作用することも、居住者の異常行動に伴う異常状態として設定されている。
【００３５】
また、居住者が住宅５０から外出しないとされる所定の時間帯（例えば、２２時から翌６時など、深夜から早朝に亘る時間帯）に関するデータに基づき、その時間帯に人感センサー１２の設置場所に居住者が存在することが、居住者の異常行動に伴う異常状態として設定されており、人感センサー１２がその異常状態を検知した際、情報管理装置１０は居住者の安否確認を促す通知を発信する発信手段として機能する。
なお、ここでいう居住者が住宅５０から外出しないとされる時間帯には、例えば、通常生活するにあたり居住者が住宅５０から外出する必要のない深夜の時間帯や、外出するべきではないとされる深夜の時間帯などが含まれている。
【００３６】
また、通過センサー１４が、居住者が居室の出入口（５１８，５２２，５２３，５２４）を通過したことを検知した場合、情報管理装置１０は通過センサー１４が居住者を検知した日時に関するデータを記憶部２に一時的に記憶するとともに、その検知した日時に関するデータを後述するホスト装置２０へ送信する。
【００３７】
また、接触センサー１３が、居住者が生活動線上における扉の取手部１３０や、居室のドアノブや、廊下や階段の手摺りに触れたこと検知した場合、情報管理装置１０は接触センサー１３が居住者を検知した日時に関するデータを記憶部２に一時的に記憶するとともに、その検知した日時に関するデータを後述するホスト装置２０へ送信する。
【００３８】
［ホスト装置］
ホスト装置２０は、例えば、制御部（ＣＰＵ）２１、記憶部２２、通信ユニット、入出力インターフェース等を有するサーバー装置である。
ホスト装置２０に内蔵された記憶部２２（例えばＲＡＭ、ＲＯＭ、不揮発性メモリ、ハードディスクドライブ等）には、ＣＰＵにより実行される各種制御プログラム及びデータ等が格納されており、ホスト装置２０（制御部２１）がそのプログラムに従って各種の処理を実行する。
【００３９】
ホスト装置２０は、情報管理装置１０から発信された通知を受信すると、その通知の発信元の住宅５０（情報管理装置１０）に対応付けられている端末装置３０に向けて居住者の安否確認を促す通知を発信する。
例えば、ホスト装置２０の記憶部２２には、住宅５０（情報管理装置１０）に対応付けられている端末装置３０に付与されているメールアドレスが記憶されて登録されており、ホスト装置２０は、情報管理装置１０から発信された通知の受信に伴い、予め登録されているメールアドレス宛ての電子メールを端末装置３０に送信することで、端末装置３０のユーザーに住宅５０において居住者に何らかの異常・トラブルが発生したことを通知する。
なお、ここでは居住者に何らかの異常が発生したことを通知する手段として電子メールを例に挙げたが、端末装置３０を鳴動させるなどして所定の警報を発することで端末装置３０のユーザーに異常発生を通知してもよく、その他、安否確認を促す報知や情報を発信するのであれば通知の手段は問わない。
【００４０】
また、ホスト装置２０は、情報管理装置１０から送信された、通過センサー１４と接触センサー１３がそれぞれ居住者を検知した日時に関するデータを受信し、その受信したデータを記憶部２２に格納する。
つまり、ホスト装置２０の記憶部２２には、通過センサー１４と接触センサー１３がそれぞれ居住者を検知した日時に関するデータであって、通過センサー１４と接触センサー１３がそれぞれ居住者を検知した通過履歴に関するデータが格納されている。なお、本実施形態では住宅５０の４つの居室の出入口にそれぞれ通過センサー１４が設置されているので、各居室の通過センサー１４ごとに居住者を検知した日時を記録するように格納していることが好ましい。また、本実施形態では扉の取手部１３０と、居室のドアノブと、廊下及び階段の手摺りにそれぞれ接触センサー１３が設置されているので、各接触センサー１３ごとに居住者を検知した日時を記録するように格納していることが好ましい。
【００４１】
［端末装置］
端末装置３０は、制御部（ＣＰＵ）、記憶部、表示部（例えば、液晶ディスプレイ、ＥＬディスプレイ）、操作部（例えば、スイッチ、押しボタン、タッチパネル）、通信ユニット、入出力インターフェース等を有するポータブルコンピューターである。より具体的には、端末装置３０は、所謂スマートフォン（多機能型携帯電話機）又はタブレットである。
端末装置３０に内蔵された記憶部（例えばＲＡＭ、ＲＯＭ、不揮発性メモリ、ハードディスクドライブ等）には、ＣＰＵにより実行される各種制御プログラム（アプリケーションプログラム）及びデータ等が格納されており、端末装置３０がそのプログラムに従って各種の処理を実行する。
【００４２】
端末装置３０は、情報管理装置１０から発信された通知を受信する。具体的に、情報管理装置１０がホスト装置２０へ居住者の安否確認を促す通知を発信すると、その通知を受信したホスト装置２０が端末装置３０へ居住者の安否確認を促す通知を発信するので、端末装置３０は情報管理装置１０から発信された通知を、ホスト装置２０を介して受信することができる。
つまり、情報管理装置１０から発信された通知に基づき、ホスト装置２０が電子メールを端末装置３０に送信し、端末装置３０のユーザーに電子メールによって住宅５０で居住者に何らかの異常・トラブルが発生したことを通知するようになっている。
【００４３】
また、端末装置３０は、ユーザーの操作に応じてホスト装置２０へアクセスし、ホスト装置２０の記憶部２２に格納されているデータを取得し、住宅５０に設置されている通過センサー１４と接触センサー１３がそれぞれ居住者を検知した日時に関するデータを表示部に表示することができる。
【００４４】
［安否確認システムによる居住者の監視および監視の効果］
次に、安否確認システム１００（建物５０）による居住者の監視処理について説明する。
ここでは住宅５０の居住者が高齢の独居者であって、その居住者の親族が使用している端末装置３０に付与されているメールアドレスがホスト装置２０に登録されている場合を例に説明する。また、親族は、居住者の住宅５０から離れた地域に住んでいるものとする。
【００４５】
［圧力センサーによる監視］
例えば、高齢の居住者は、段差につまづいて転倒したり、階段を踏み外して転倒・転落したりしやすいとされているので、安否確認システム１００では住宅５０における段差近傍の床面であって、玄関の上框５１１の床面と、階段手前の玄関ホール５１２の床面にそれぞれ圧力センサー１１を設置し、居住者が転倒したなどのトラブルを検知可能にしている。
また、高齢の居住者は、浴室や洗面室でヒートショックを起こして倒れたり、トイレで脳出血を起こして倒れたりしやすいとされているので、安否確認システム１００では住宅５０における水周りの床面であって、浴室５１３、洗面室（脱衣室）５１４、トイレ５１５、トイレ５２１の床面にそれぞれ圧力センサー１１を設置し、居住者が転倒したなどのトラブルを検知可能にしている。
【００４６】
そして、圧力センサー１１が、転倒した居住者が床面に衝突したことに相当する圧力を検知した場合、情報管理装置１０は圧力センサー１１が異常状態を検知したとして居住者の安否確認を促す通知を発信する。
その通知の発信に伴い居住者の親族の端末装置３０に、住宅５０において居住者に何らかの異常行動があり、居住者が転倒した可能性があることを通知する電子メールが着信するので、その電子メールを見た親族は、住宅５０に電話して居住者が応答可能な状態であるか確認したり、住宅５０での異常発生について救急通報したりすることができる。
このように、住宅５０に設置された圧力センサー１１によって、居住者が転倒するといったトラブルの有無を監視することができ、その圧力センサー１１が異常状態を検知することに伴い、居住者の安否確認を促す通知が発信されるので、居住者の安否確認を迅速に行うことができる。
【００４７】
また、居住者が床面に倒れる場合、床面に衝突するように倒れるのでなく、ゆっくりと座り込むように倒れることもある。床面に倒れこんだ居住者が気を失うなどして身動きが取れない場合、そのまま長時間に亘って床面上に留まることになる。
そして、圧力センサー１１が、床面上の居住者の身体重心が動かない圧力、または床面上の居住者の身体重心が極僅かに動く圧力（身体重心が僅かにしか動かない圧力）を検知した場合、情報管理装置１０は圧力センサー１１が異常状態を検知したとして居住者の安否確認を促す通知を発信する。
その通知の発信に伴い居住者の親族の端末装置３０に、住宅５０において居住者に何らかの異常行動があり、居住者が床面上で身動きが取れなくなっている可能性があることを通知する電子メールが着信するので、その電子メールを見た親族は、住宅５０の近所の協力者に居住者の様子を確認してもらう要請をしたり、住宅５０での異常発生について救急通報したりすることができる。
このように、住宅５０に設置された圧力センサー１１によって、居住者が床面上で身動きが取れなくなっているといったトラブルの有無を監視することができ、その圧力センサー１１が異常状態を検知することに伴い、居住者の安否確認を促す通知が発信されるので、居住者の安否確認を迅速に行うことができる。
【００４８】
［人感センサーによる監視］
例えば、高齢の居住者が認知症を発症するなどした場合、深夜に外出するなど徘徊してしまうことがあるので、安否確認システム１００では住宅５０（住空間）に出入する際に開く扉の近傍であって、玄関扉５１６の近傍（土間５１６ａ）と、勝手口の扉５１７の近傍にそれぞれ人感センサー１２を設置し、予め設定されている所定の時間帯、例えば居住者が外出しないとされる時間帯に、居住者が住宅５０から外出しようとするトラブルを検知可能にしている。
そして、人感センサー１２が、所定の時間帯に居住者の出入りを検知した場合、情報管理装置１０は人感センサー１２が異常状態を検知したとして居住者の安否確認を促す通知を発信する。
その通知の発信に伴い居住者の親族の端末装置３０に、住宅５０において居住者に何らかの異常行動があり、居住者が夜間徘徊する可能性があることを通知する電子メールが着信するので、その電子メールを見た親族は、住宅５０の近所の協力者に居住者の様子を確認してもらう要請をしたり、関係各所に保護要請を通報したりすることができる。
このように、住宅５０に設置された人感センサー１２によって、居住者が徘徊してしまうトラブルの有無を監視することができ、その人感センサー１２が異常状態を検知することに伴い、居住者の安否確認を促す通知が発信されるので、居住者の安否確認を迅速に行うことができる。
【００４９】
さらに、人感センサー１２が所定の時間帯に居住者を検知した際に、居住者が扉の取手部１３０を触ったことを接触センサー１３が検知していれば、居住者が玄関扉５１６または勝手口の扉５１７に近付いただけではなく、居住者が玄関扉５１６または勝手口の扉５１７を開けようとしていることがわかる。
そこで、所定の時間帯に人感センサー１２と取手部１３０の接触センサー１３がともに居住者を検知した場合に、居住者が徘徊する可能性が高い異常状態を検知したとして、情報管理装置１０が居住者の安否確認を促す通知を発信するようにすれば、その通知の精度が上がるので、居住者の安否確認をより迅速に行うことが可能になる。
【００５０】
［通過センサーおよび接触センサーによる監視］
例えば、住宅５０で居住者が生活するうえで、居住者は必ず居室間を移動するので、安否確認システム１００では住宅５０における複数の居室の出入口にそれぞれ通過センサー１４を設置し、その通過センサー１４が居住者を検知した履歴をホスト装置２０に記録している。
また、住宅５０で居住者が生活するうえで、居住者は必ず生活動線上の扉の取手部１３０や、居室のドアノブや、廊下や階段の手摺りに触れるので、安否確認システム１００では住宅５０における複数箇所に接触センサー１３を設置し、その接触センサー１３が居住者を検知した履歴をホスト装置２０に記録している。
そして、端末装置３０を操作してホスト装置２０にアクセスし、ホスト装置２０の記憶部２２に格納されている居住者が出入口を通過した履歴に関するデータと、居住者が生活動線を移動した履歴に関するデータを取得することで、端末装置３０の表示部に、通過センサー１４と接触センサー１３がそれぞれ居住者の通過を検知した日時に関するデータを表示することができる。
つまり、居住者の親族は端末装置３０を操作することで、住宅５０に設置された通過センサー１４と接触センサー１３がそれぞれ居住者の通過を検知した日時に関するデータを任意のタイミングで閲覧することができる。
【００５１】
端末装置３０によって、通過センサー１４と接触センサー１３がそれぞれ居住者の通過を検知した日時に関するデータを確認し、居住者が住宅内を移動した半日当たりの回数や１日当たりの回数が過去の履歴と同じ程度であれば、居住者は健康などに問題なく、日常生活を送っていることがわかる。一方、居住者が住宅内を移動した回数が極端に少ない場合や、直近の通過日時からかなりの時間が経過している場合には、居住者が体調不良などを起こしていることが予想されるので、住宅５０に電話して居住者が応答可能な状態であるか確認したり、住宅５０の近所の協力者に居住者の様子を確認してもらう要請をしたり、住宅５０での異常発生について救急通報したりすることができる。
このように、住宅５０に設置された通過センサー１４と接触センサー１３によって、居住者が健康などに問題なく日常生活を送っているか否かを監視することができ、その通過センサー１４が検知した居住者の通過履歴を確認することで、居住者の安否確認を迅速に行うことができる。
【００５２】
なお、通過センサー１４と接触センサー１３がそれぞれ居住者を検知した履歴をホスト装置２０に記憶させることに加えて、圧力センサー１１や人感センサー１２が居住者を検知した履歴をホスト装置２０に記憶させるようにすれば、居住者の行動履歴をより一層詳しく知ることができ、居住者の異常をより早く認識することが可能になる。
【００５３】
以上のように、本実施形態の安否確認システム１００によれば、住宅５０に設置された圧力センサー１１が、転倒した居住者が床面に衝突したことに相当する圧力を検知した場合と、床面上の居住者の身体重心が動かない圧力（床面上の居住者の身体重心が極僅かに動く圧力）を検知した場合には、情報管理装置１０が直ちに居住者の安否確認を促す通知を発信するので、その通知を端末装置３０で受信して確認したユーザーは、すぐさま何らかの対応を取ることができ、居住者の安否確認を迅速に行うことができる。
つまり、住宅５０で居住者が転倒して大怪我をした可能性があるときや、住宅５０で居住者が体調を崩すなどして身動きが取れない状態となったときに、直ちに居住者の安否確認を促す通知が発信されるので、その通知を受信する端末装置３０を携帯しているユーザーは住宅５０に居合わせなくても救急通報するなど対応することができる。
このように居住者の身にトラブルが生じた後に迅速対応することが可能であるので、トラブルが生じた居住者の発見が遅れてしまうことがないことは勿論のこと、居住者を救助するまでの所要時間の短縮を図ることができる。
【００５４】
また、本実施形態の安否確認システム１００によれば、住宅５０に設置された人感センサー１２が所定の時間帯に居住者の出入りを検知した場合には、情報管理装置１０が直ちに居住者の安否確認を促す通知を発信するので、その通知を端末装置３０で受信して確認したユーザーは、すぐさま何らかの対応を取ることができ、居住者の安否確認を迅速に行うことができる。
つまり、住宅５０から居住者が外出して徘徊する可能性があるときに、直ちに居住者の安否確認を促す通知が発信されるので、その通知を受信する端末装置３０を携帯しているユーザーは住宅５０に居合わせなくても、関係各所に居住者の保護要請を通報するなど対応することができる。
このように認知症などを患った居住者が徘徊してしまうことに対して迅速に対応することが可能であるので、徘徊を未然に防いだり、住宅５０に近いところで居住者を保護したりすることができる。
【００５５】
また、本実施形態の安否確認システム１００によれば、住宅５０に設置された通過センサー１４及び接触センサー１３が住宅内を移動する居住者を検知した通過履歴をホスト装置２０に記録しており、ユーザーが端末装置３０を操作することで、その通過履歴を確認することができるので、居住者が住宅５０内を移動した回数が極端に少ないことや、移動回数が急激に減っていることを確認したユーザーは、すぐさま何らかの対応を取ることができ、居住者の安否確認を迅速に行うことができる。
つまり、居住者が体調不良などを起こして寝込んでいることなどが予想される場合、住宅５０に電話して居住者が応答可能な状態であるか確認したり、救急通報したりするなど対応することができる。
そして、ユーザーが、住宅５０内を移動した居住者の通過履歴をこまめにチェックするようにすれば、何らかのトラブルが生じた居住者の発見が遅れてしまうことがない。
【００５６】
このように、本発明に係る住宅５０や安否確認システム１００の技術によれば、住宅５０で暮らしている居住者の安否を迅速に確認することができる。
【００５７】
なお、以上の実施の形態においては、居住者の親族は、住宅５０から離れた地域に住んでいるとしたが、本発明はこれに限定されるものではなく、親族は住宅５０に同居していてもよい。
そして、同居の親族が買い物などで住宅５０を留守している間に、住宅５０において居住者に何らかのトラブルが生じた際に、端末装置３０に異常状態の検知を告げる電子メールが着信すれば、直ちに帰宅するなどの対応を取ることができ、居住者の安否確認を迅速に行うことができる。
また、同居の親族が、居住者とは別室で就寝した後に、住宅５０において居住者に何らかのトラブルが生じた際に、端末装置３０に異常状態の検知を告げる電子メールが着信すれば、電子メールの着信音で目覚めることができ、直ちに居住者の安否確認を行うことができる。
【００５８】
また、上記実施形態では、居住者が住宅５０から外出しないとされる時間帯（例えば、深夜から早朝の時間帯）を所定の時間帯として設定するとしたが、本発明はこれに限定されるものではなく、例えば、住宅５０の近居に住む親族や、介護ヘルパーが住宅５０を訪問していない時間帯を所定の時間帯として設定するようにしてもよい。
住宅５０の居住者が高齢の独居者であって、さらに認知症を発症しているような場合、居住者は昼夜を問わず徘徊してしまう可能性があるので、居住者が住宅５０に１人でいる時間帯を所定の時間帯として設定することで、居住者が住宅５０から出て徘徊してしまうトラブルを低減することができる。
また、人感センサー１２を玄関扉５１６と勝手口の扉５１７の近傍に設置することに限らず、人感センサー１２を一階住宅部５１における居室（リビング）の掃き出し窓の近傍に設置し、所定の時間帯に掃き出し窓から居住者が住宅５０の外に出てしまうことを検知するようにしてもよい。
【００５９】
また、上記実施形態では、情報管理装置１０から発信された居住者の安否確認を促す通知を、ホスト装置２０を介して受信した端末装置３０のユーザーが、住宅５０での異常発生について救急通報したりするとしたが、情報管理装置１０から発信された通知を受信したホスト装置２０の管理者（例えば、サービス提供会社である警備会社（セキュリティ会社））が救急通報したり、住宅５０に駆けつけたりするようにしてもよい。
【００６０】
また、上記実施形態では、住宅５０に設置されているセンサー（１１，１２）が予め設定されている異常状態を検知した際、情報管理装置１０がホスト装置２０へ居住者の安否確認を促す通知を発信し、その通知を受信したホスト装置２０が端末装置３０へ居住者の安否確認を促す電子メールを送信するとしたが、本発明はこれに限定されるものではない。例えば、住宅５０に設置されているセンサー（１１，１２）が予め設定されている異常状態を検知した際、情報管理装置１０やその子機が鳴動することで、居住者の安否確認を促す通知としての警報を発信するようにしてもよい。情報管理装置１０やその子機が鳴動することによる警報は、住宅５０内の別室にいる親族や住宅５０の隣人が、居住者に何らかのトラブルが生じたことに気付くようなブザー音や音声メッセージであり、また屋外に設置された子機が発光点滅するような通知を伴ってもよい。
【００６１】
また、ホスト装置２０が設置されている場所は上記実施形態に限られず、任意の場所でよい。
また、情報管理装置１０からホスト装置２０を介して端末装置３０へ通知を発信するのでなく、情報管理装置１０に端末装置３０のメールアドレスを登録しておき、情報管理装置１０から端末装置３０へ通知を直接発信してもよい。
【００６２】
また、その他、具体的な細部構造等についても適宜に変更可能であることは勿論である。
【符号の説明】
【００６３】
１０    情報管理装置（発信手段）
１１    圧力センサー
１２    人感センサー
１３    接触センサー
１４    通過センサー
２０    ホスト装置
３０    端末装置
５０    建物
５１    一階住宅部
５２    二階住宅部
５１６  玄関扉
５１７  勝手口の扉
１３０  取手部
１００  安否確認システム
【図１】
2015026146.tif 000003
【図２】
2015026146.tif 000004